(57)【要約】【課題】近接通信を用いた機能を据置機器から離れた場所から行うことができる近接通信システムを提供する。【解決手段】近接通信を行う第１近接通信部を備えた第１機器（携帯端末装置）と、近接通信よりも高速な通信を行う第１高速通信部を備えた第２機器（据置機器）と、近接通信を行う第２近接通信部と、高速通信を行う第２高速通信部と、第１機器を認証するための認証情報を記憶した記憶部と、第２近接通信部が前記第１機器と通信を開始したとき、認証情報を用いて第１機器を認証し、この認証が成功した場合に、第２近接通信部および第２高速通信部を用いて第１機器と第２機器との通信を中継する制御部と、を備えた第３機器（充電器）と、有する。【選択図】図１
2014057235.tif 000002
【特許請求の範囲】
【請求項１】
近接通信を行う第１近接通信部を備えた第１機器と、
前記近接通信よりも高速な通信を行う第１高速通信部を備えた第２機器と、
前記近接通信を行う第２近接通信部と、前記高速通信を行う第２高速通信部と、前記第１機器を認証するための認証情報を記憶した記憶部と、前記第２近接通信部が前記第１機器と通信を開始したとき、前記認証情報を用いて前記第１機器を認証し、この認証が成功した場合に、前記第２近接通信部および前記第２高速通信部を用いて前記第１機器と前記第２機器との通信を中継する制御部と、を備えた第３機器と、
を有する近接通信システム。
【請求項２】
前記第１機器の制御部は、前記第３機器によって前記第２機器との通信が中継されたとき、その時点での動作状態を表す動作情報、そのときの機能設定状態を表す設定情報の一方または両方を前記第３機器を介して前記第２機器に送信し、
前記第２機器の制御部は、前記動作情報および／または設定情報を受信したとき、その受信した情報に基づいて動作を開始し、
さらに、前記第１機器の制御部は、前記第２機器に送信した情報に基づく動作を停止させる
請求項１に記載の近接通信システム。
【請求項３】
近接通信を行う第１近接通信部と、前記近接通信よりも高速な通信を行う第１高速通信部と、を備えた第１機器と、
前記高速通信を行う第２高速通信部を備えた第２機器と、
前記近接通信を行う第３近接通信部と、前記第１機器を認証するための認証情報および前記第２機器との高速通信を確立するための設定情報を記憶した記憶部と、を備えた第３機器と、
を有し、
前記第３機器は、前記第３近接通信部が前記第１機器と通信を開始したとき、前記認証情報を用いて前記第１機器を認証し、この認証が成功した場合に、前記設定情報を前記第１機器に送信する第３制御部をさらに備え、
前記第１機器は、前記第３機器から前記設定情報を受信したとき、この設定情報を用いて前記第１高速通信部を前記第２機器と通信可能に設定する第１制御部をさらに備えた
近接通信システム。
【請求項４】
前記第１制御部は、前記第１高速通信部を前記第２機器と通信可能に設定したのち、その時点での動作状態を表す動作情報、そのときの機能設定状態を表す設定情報の一方または両方を前記第２機器に送信し、
前記第２機器の制御部は、前記動作情報および／または設定情報を受信したとき、その受信した情報に基づいて動作を開始し、
さらに、前記第１制御部は、前記第２機器に送信した情報に基づく動作を停止させる
請求項３に記載の近接通信システム。
【請求項５】
近接通信を行う近接通信部と、
前記近接通信よりも高速な通信を行う高速通信部と、
前記近接通信部で通信する携帯端末装置を認証するための認証情報を記憶した記憶部と、
前記近接通信部が前記携帯端末装置と通信を開始したとき、前記認証情報を用いて前記携帯端末装置を認証し、この認証が成功した場合に、前記近接通信部および前記高速通信部を用いて、前記携帯端末装置と、前記高速通信部で通信する第２機器との通信を中継する制御部と、
を備えた近接通信装置。
【請求項６】
近接通信を行う近接通信部と、
前記近接通信部および前記近接通信よりも高速な通信を行う高速通信部を有する携帯端末装置を認証するための認証情報、および、第２の機器との前記高速通信を確立するための設定情報を記憶した記憶部と、
前記近接通信部が前記携帯端末装置と通信を開始したとき、前記認証情報を用いて前記携帯端末装置を認証し、この認証が成功した場合に、前記設定情報を前記携帯端末装置に送信して前記第２機器との前記高速通信を確立させる制御部と、
を備えた近接通信装置。
【請求項７】
前記近接通信部と通信する前記携帯端末装置に対して、無線で電力を供給する送電部をさらに備えた請求項５または請求項６に記載の近接通信装置。
【発明の詳細な説明】
【技術分野】
【０００１】
この発明は、携帯機器と据置機器などの機器間の近接通信を容易にした近接通信システムおよび近接通信装置に関する。
【背景技術】
【０００２】
ＮＦＣ（Ｎｅａｒ  Ｆｉｅｌｄ  Ｃｏｍｍｕｎｉｃａｔｉｏｎ）と呼ばれる近接通信が実用化されている。この近接通信を用いたシステムとして、携帯電話機などの携帯端末装置を据置機器に接近させることで、据置装置と近接通信を行い、据置機器に対応する動作を実行させるものが多く提案されている（たとえば特許文献１など）。
【０００３】
特許文献１には、携帯端末装置を複合機に接近させると、近接通信を用いて複合機から携帯端末装置に対してＢｌｕｅｔｏｏｔｈ（登録商標）のペアリング情報が送信され、携帯端末装置はＢｌｕｅｔｏｏｔｈを用いてプリントデータを複合機に送信して印刷させるシステムが記載されている。
【先行技術文献】
【特許文献】
【０００４】
【特許文献１】特開２００９−１３５８６５号公報
【発明の概要】
【発明が解決しようとする課題】
【０００５】
近接通信は、通信する機器同士が０ｃｍ〜１０ｃｍ程度に極めて接近して行う通信であり、１対１通信が容易に実現される反面、文字通り機器同士を接近させること、特許文献１の例では携帯端末装置を据置機器に接近させることが条件であり、離れた場所から近接通信を用いた機能を据置機器に実行させることができなかった。
【０００６】
この発明は、近接通信を据置機器から離れた場所から行うことができる近接通信システムおよび近接通信装置を提供することを目的とする。
【課題を解決するための手段】
【０００７】
この発明の近接通信システムは、近接通信を行う第１近接通信部を備えた第１機器（携帯端末装置）と、前記近接通信よりも高速な通信を行う第１高速通信部を備えた第２機器（据置機器）と、前記近接通信を行う第２近接通信部と、前記高速通信を行う第２高速通信部と、前記第１機器を認証するための認証情報を記憶した記憶部と、前記第２近接通信部が前記第１機器と通信を開始したとき、前記認証情報を用いて前記第１機器を認証し、この認証が成功した場合に、前記第２近接通信部および前記第２高速通信部を用いて前記第１機器と前記第２機器との通信を中継する制御部と、を備えた第３機器（充電器）と、を有することを特徴としている。
【０００８】
上記発明において、前記第１機器の制御部は、前記第３機器によって前記第２機器との通信が中継されたとき、その時点での動作状態を表す動作情報、そのときの機能設定状態を表す設定情報の一方または両方を前記第３機器を介して前記第２機器に送信し、前記第２機器の制御部は、前記動作情報および／または設定情報を受信したとき、その受信した情報に基づいて動作を開始し、さらに、前記第１機器の制御部は、前記第２機器に送信した情報に基づく動作を停止させてもよい。
【０００９】
この発明の近接通信システムは、近接通信を行う第１近接通信部と、前記近接通信よりも高速な通信を行う第１高速通信部と、を備えた第１機器（携帯端末装置）と、前記高速通信を行う第２高速通信部を備えた第２機器（据置機器）と、前記近接通信を行う第３近接通信部と、前記第１機器を認証するための認証情報および前記第２機器との高速通信を確立するための設定情報（ペアリング情報）を記憶した記憶部と、を備えた第３機器（充電器）と、を有するシステムであって、前記第３機器は、前記第３近接通信部が前記第１機器と通信を開始したとき、前記認証情報を用いて前記第１機器を認証し、この認証が成功した場合に、前記設定情報を前記第１機器に送信する第３制御部をさらに備え、前記第１機器は、前記第３機器から前記設定情報を受信したとき、この設定情報を用いて前記第１高速通信部を前記第２機器と通信可能に設定する第１制御部をさらに備えたことを特徴とする。
【００１０】
上記発明において、前記第１制御部は、前記第１高速通信部を前記第２機器と通信可能に設定したのち、その時点での動作状態を表す動作情報、そのときの機能設定状態を表す設定情報の一方または両方を前記第２機器に送信し、前記第２機器の制御部は、前記動作情報および／または設定情報を受信したとき、その受信した情報に基づいて動作を開始し、さらに、前記第１制御部は、前記第２機器に送信した情報に基づく動作を停止させるようにしてもよい。
【００１１】
この発明の近接通信装置は、近接通信を行う近接通信部と、前記近接通信よりも高速な通信を行う高速通信部と、前記近接通信部で通信する携帯端末装置を認証するための認証情報を記憶した記憶部と、前記近接通信部が前記携帯端末装置と通信を開始したとき、前記認証情報を用いて前記携帯端末装置を認証し、この認証が成功した場合に、前記近接通信部および前記高速通信部を用いて、前記携帯端末装置と、前記高速通信部で通信する第２機器との通信を中継する制御部と、を備えたことを特徴とする。
【００１２】
この発明の近接通信装置は、近接通信を行う近接通信部と、前記近接通信部および前記近接通信よりも高速な通信を行う高速通信部を有する携帯端末装置を認証するための認証情報、および、第２の機器との前記高速通信を確立するための設定情報を記憶した記憶部と、前記近接通信部が前記携帯端末装置と通信を開始したとき、前記認証情報を用いて前記携帯端末装置を認証し、この認証が成功した場合に、前記設定情報を前記携帯端末装置に送信して前記第２機器との前記高速通信を確立させる制御部と、を備えたことを特徴とする。
【００１３】
上記発明において、前記近接通信部と通信する前記携帯端末装置に対して、無線で電力を供給する送電部をさらに備えてもよい。
【発明の効果】
【００１４】
この発明によれば、第１機器は、第３機器と近接通信を行うことで、第２機器と直接近接通信を行った場合と同様の通信を行うことができ、第２機器から離れた場所で実質的に近接通信を行うことが可能になる。
【図面の簡単な説明】
【００１５】
【図１】この発明の実施形態であるオーディオシステムの構成図
【図２】オーディオシステムの携帯端末装置のブロック図
【図３】オーディオシステムの親機のブロック図
【図４】オーディオシステムの充電器のブロック図
【図５】オーディオシステムの通信確立手順を示すフローチャート
【図６】オーディオシステムの通信確立手順を示すフローチャート
【図７】オーディオシステムの動作引継手順を示すフローチャート
【図８】親機の通信確立中の動作を示すフローチャート
【図９】携帯端末装置の通信確立中の動作を示すフローチャート
【発明を実施するための形態】
【００１６】
図面を参照してこの発明の実施形態であるオーディオシステムについて説明する。
【００１７】
図１は、オーディオシステムのシステム構成を示す図である。オーディオシステムは、携帯端末装置１、据置機器である親機２、および、充電器３を有している。携帯端末装置１は、多機能携帯電話機（いわゆるスマートフォン）が好適である。また、親機２は、いわゆるデスクトップオーディオと呼ばれるアンプ、スピーカ、チューナ、ＣＤプレーヤを内蔵したオールインワンのオーディオ機器が好適である。充電器３は、携帯端末装置１を載置するトレイとして設けられ、非接触電力伝送（ＷＰＣ）で携帯端末装置１のバッテリを充電するとともに、親機２に対する子機（サテライト）として携帯端末装置１と親機２との通信を仲介する。
【００１８】
携帯端末装置１は、３Ｇ／４Ｇの携帯電話通信機能を備えるとともに、Ｗｉ−Ｆｉ、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）など、複数の通信機能を備えている。ここで、Ｗｉ−Ｆｉは、ＩＥＥＥ８０２．１１に規定される無線ＬＡＮの通信規格である。Ｂｌｕｅｔｏｏｔｈは、２．４ＧＨｚ帯を用いて１０〜１００ｍ程度の近距離通信を行う通信規格である。通信速度は最大２Ｍｂｐｓ程度である。ＮＦＣは、１０ｃｍ程度の極近接無線通信を行う通信規格であり、１３．５６ＭＨｚの電磁誘導を用いて２００ｋｂｐｓ程度の速度の通信が可能である。
【００１９】
ＮＦＣが本発明の近接通信に対応する。ＮＦＣは、通信可能距離が極めて短いため、１対１通信が保証され、３者で混信が生じる余地がないことから、通信確立のための設定が簡易な通信方式である。ただし、ＮＦＣは一例であり、同じ場所に複数の充電器３が存在した場合でも、ユーザが意図して携帯端末装置１を近づけた充電器３のみが通信を行うことができる程度の極近接通信方式であればＮＦＣ以外の方式であってもよい。
【００２０】
携帯端末装置１は、ＮＦＣの通信コイル２２、および、非接触電力伝送（ＷＰＣ）の受電コイル２３を筐体背面に内蔵している。ここで、非接触電力伝送とは、電磁誘導、電界結合、共振結合などの方式を用いて無接点で電力を伝送する技術であり、たとえば、電磁誘導方式の場合、１００〜２００ｋＨｚ程度の周波数の電磁波を用いて、送電コイルから受電コイルへ１２Ｗ程度の電力が伝送される。
【００２１】
また、携帯端末装置１は、基本機能として、アラーム機能、メール送受信機能、ＭＰ３などの音楽ファイルの再生機能、ラジオ（サイマル）放送の受信機能、ＴＶ（ワンセグ）放送の受信機能などを備えている。
【００２２】
充電器３は、携帯端末装置１を載置するトレイ状の形状をしており、上面に載置部３Ａを有している。載置部３Ａは、ユーザが、ポケットやバッグに入れて持ち歩いていた携帯端末装置１をポケットやバッグから取り出して、置く場所として設けられている。充電器３は、親機２の近傍に設置する必要はなく、Ｂｌｕｅｔｏｏｔｈの通信範囲（たとえば１０ｍ：ｃｌａｓｓ２）にあればよい。充電器３は、載置部３Ａの裏側に、ＮＦＣの通信コイル６８および非接触電力伝送の送電コイル６９を備えている。
【００２３】
また、親機２は、Ｂｌｕｅｔｏｏｔｈの通信機能、音楽ファイルの再生機能、ラジオ放送の受信機能、ＣＤの再生機能などを備えている。親機２は、Ｂｌｕｅｔｏｏｔｈを介して携帯端末装置１または充電器３と通信する。
【００２４】
携帯端末装置１が充電器３の載置部３Ａ上に載置されることにより、携帯端末装置１と充電器３は、ＮＦＣによる通信を開始する。このとき、充電器３は、携帯端末装置１に対して認証を行う。携帯端末装置１が機器として認証されれば充電を開始し、携帯端末装置１が登録された機器（ユーザ）として認証されれば、充電器３は、（１）親機２との通信を中継する、または、（２）親機２のペアリング情報を携帯端末装置１に送信して携帯端末装置１と親機  これによって、携帯端末装置１は親機２と通信可能になる。
【００２５】
ここで、機種の認証は、携帯端末装置１のベンダーコードや機種コードなどで行えばよい。以下、これらの情報を機種識別情報と呼ぶ。また、その携帯端末装置１が登録されているか否かの認証は、この携帯端末装置１に割り当てられたユニークな番号（シリアル番号等）、電話番号、ユーザの氏名を番号化したもの、ユーザの生年月日、ユーザが任意に設定した数値や文字列などで行えばよい。以下、これらの情報を個体識別情報と呼ぶ。
【００２６】
通信が可能になると、携帯端末装置１は親機２と以下のような通信を行う。携帯端末装置１は、動作情報および設定情報を親機２に送信する。親機２は、この動作情報および設定情報を引き継いで動作を開始する。動作情報とは、再生中のオーディオソースに関する情報を含む携帯端末装置１の現在の動作状態を示す情報である。たとえば、再生中の音楽ファイルのファイル名、アルバム名（選曲リスト名）、再生中タイミング情報、または、受信中のラジオ局、テレビ局の情報などである。具体的には、現在再生中のアルバム（選曲リスト）の総トラック数、トータル時間、再生中トラック番号、再生中時刻情報などである。また、携帯端末装置１が放送を受信している場合、動作情報は、再生中のラジオ・テレビなどの放送局の局情報またはＵＲＬ情報を含んでいてもよい。設定情報とは、アラーム時刻などの設定情報である。
【００２７】
上記の情報に基づいて親機２が引き継ぐ動作とは、たとえば以下のようなものである。
【００２８】
携帯端末装置１が音楽ファイルを再生中であった場合、親機２が同じ音楽ファイルの再生を開始する。この場合、携帯端末装置１の再生と同期したタイミングから再生を開始する。
【００２９】
携帯端末装置１がラジオ放送またはテレビ放送を受信中であった場合、親機２が同じ放送の受信再生を開始する。テレビ放送の受信機能を備えていない親機２がＨＤＭＩ等でテレビ受像機と接続されている場合、そのテレビ受像機をＨＤＭＩ／ＣＥＣで制御して同じ放送の視聴を開始させてもよい。また、親機２は、単体のオーディオ機器に限定されず、コンポーネント機器であってもよい。
【００３０】
携帯端末装置１にアラームが設定されている場合、親機２が同様のアラームを自装置に設定し、設定時刻になったときアラームを鳴動させる、または、テレビ、ラジオの受信をスタートさせる。
【００３１】
携帯端末装置１が携帯電話機である場合、電話の着信、メールの受信を親機２に通知し、親機２が着信音、メール受信音を発生する。これにより、携帯端末装置（携帯電話機）１がマナーモードのままでもユーザに着信、メール受信を知らせることができる。
【００３２】
以下、ブロック図を参照して、携帯端末装置１、親機２、および、充電器３の構成について説明する。
【００３３】
図２は、携帯端末装置１のブロック図である。上述したように、この実施形態において、携帯端末装置１は多機能携帯電話機（スマートフォン）である。携帯端末装置１では、制御部であるＭＣＵ１１に、３Ｇ／４Ｇ通信回路１２、Ｗｉ−Ｆｉ通信回路１３、Ｂｌｕｅｔｏｏｔｈ通信回路１４、ＮＦＣ通信回路１５、充電回路１６、ＴＶ（ワンセグ）チューナ１７、音声プロセッサ１８、画像プロセッサ１９、メディアインタフェース２０および操作部２１が接続されている。また、ＭＣＵ１１はメモリ１１Ａを内蔵している。メモリ１１Ａには、上述の機種識別情報および個体識別情報が記憶されている。
【００３４】
３Ｇ／４Ｇ通信回路１２は、第３世代／第４世代移動通信網を用いて音声通話およびデータ通信を行う回路である。Ｗｉ−Ｆｉ通信回路１３は、ＩＥＥＥ８０２．１１規格の無線ＬＡＮの通信を行う。Ｗｉ−Ｆｉ通信回路１３は、複数のＷｉ−Ｆｉ機器がネットワークを統括する無線アクセスポイントを介して通信し、互いに直接通信しないインフラストラクチャーモード（ｉｎｆｒａｓｔｒｕｃｔｕｒｅ  ｍｏｄｅ）、および、複数のＷｉ−Ｆｉ機器が互いに直接通信をする形態のアドホック・モード（ａｄ−ｈｏｃ  ｍｏｄｅ）の両モードで通信を行う。Ｂｌｕｅｔｏｏｔｈ通信回路１４は、Ｂｌｕｅｔｏｏｔｈ（ＩＥＥＥ８０２．１５．１）で、予め設定された通信相手とＰＮＰの通信を行う通信回路である。Ｂｌｕｅｔｏｏｔｈは、主として相手装置との文字情報やデジタル音声信号などの伝送に用いられる。
【００３５】
ＮＦＣ通信回路１５は、１３．５６ＭＨｚの高周波電流による磁束を生じさせるための通信用コイル２２を備えている。ＮＦＣでは、通信する２台の通信コイルを対向させ、送信側のコイルに信号で変調された１３．５６ＭＨｚのキャリア電流を流すことにより、受信側のコイルに信号で変調された相互誘導電流を生じさせる。また、送信側のコイルに強い電流を流すことにより、受信側のコイルに電力を送ることも可能である。この電力で受信側の通信回路を起動することにより、受信側のＮＦＣ通信回路を待機電力無しで待機させることが可能になる。
【００３６】
ＮＦＣ通信回路１５は、カードエミュレーションモード、リーダ／ライターモード、および、Ｐ２Ｐモードの３つのモードでの動作が可能である。ＮＦＣ通信回路２５は、モードスイッチを内蔵しており、情況に応じて動作モードを上の３つのモードのいずれかに切り換える。
【００３７】
カードエミュレーションモードは、非接触ＩＣカードとして機能するモードであり、非接触ＩＣカードのリーダ・ライタとの通信が可能である。リーダ／ライタモードは、非接触ＩＣカードへのデータの読み込み・書き込みを実現するモードである。カードエミュレーションモードのＮＦＣ機器とリーダ／ライタモードのＮＦＣ機器とが接近した場合、リーダ／ライタモードのＮＦＣ機器がカードエミュレーションモードのＮＦＣ機器を検出して通信を開始する。
【００３８】
また、Ｐ２Ｐモードは、ＮＦＣ機器間のピアツーピア通信を実現するモードである。Ｐ２Ｐモードにより、ＮＦＣ機器間で直接、各種の情報を交換することが可能になる。
【００３９】
この実施形態では、携帯端末装置１のＮＦＣ通信回路１５は、リーダ／ライタモードにデフォルト設定される。また、後述の充電器３ののＮＦＣ通信回路６５は、カードエミュレーションモードにデフォルト設定される。これにより、携帯端末装置１が充電器３の載置部３Ａ上に置かれたとき、ＮＦＣ通信回路１５がＮＦＣ通信回路６５を検出して通信を開始する。なお、ＮＦＣ通信回路２５とＮＦＣ通信回路６５のデフォルト設定は逆であってもよい。また、ＮＦＣ通信回路２５とＮＦＣ通信回路６５が最初からＰ２Ｐモードに設定されていてもよい。
【００４０】
充電回路１６は、内蔵のバッテリ２４を充電する回路である。充電回路１６は、非接触電力伝送によって電力の供給を受けるため、受電コイル２３を備えている。受電コイル２３は、筐体の背面側に、通信用コイル２２と中心軸を共通にして設けられている。非接触電力伝送の代表的な規格であるＷＰＣは、１００〜２００ＫＨｚ程度の周波数の電磁波を用いて１２Ｗ程度の電力伝送が可能である。
【００４１】
ＴＶチューナ１７は、テレビ（ワンセグ）放送を受信する。受信した映像および音声は、音声プロセッサ１８および画像プロセッサ１９に入力される。
【００４２】
音声プロセッサ１８は、圧縮されたデジタルの音声信号を伸長してビットストリームの音声信号に変換する処理部である。音声プロセッサ１８は、テレビ放送の音声処理のほか、通話音声、デジタルの音楽ファイルの再生などの処理を行う。音声プロセッサ１８は、再生した音声信号をアンプ２５に入力する。アンプ２５は、入力された音声信号を増幅し、スピーカ２６およびイヤホン端子２７に出力する。
【００４３】
画像プロセッサ１９は、圧縮されたテレビ放送の動画や画像ファイルなどをディスプレイサイズの画像に展開してＶＲＡＭ２８に書き込む。ＶＲＡＭ２８に展開された画像は表示部２９に出力される。表示部２９は、携帯端末装置１前面に設けられたディスプレイ２９Ａを含み、画像プロセッサ１９から入力された画像をディスプレイ２９Ａに表示する。
【００４４】
操作部２１は、ディスプレイ２９Ａ表面に形成されたタッチパネルを含み、ユーザによる操作を検出してＭＣＵ１１に伝達する。メディアインタフェース２０は、メモリカードスロットを有し、メモリカード５が接続される。メモリカード５は、たとえばマイクロＳＤカードなどであり、前述の音声プロセッサ１８に出力する圧縮されたデジタルの音声信号である複数の音楽ファイルなどを記憶している。
【００４５】
次に、図３のブロック図を参照して親機２について説明する。上述したように親機２はデスクトップオーディオ機器であり、制御部としてＭＣＵ４１を有している。そして、このＭＣＵ４１に、音声プロセッサ４２、アンプ４３、ＦＭチューナ４６、ＣＤドライブ４７、メディアインタフェース４８、表示部４９、操作部５０、および、Ｂｌｕｅｔｏｏｔｈ通信回路５１が接続されている。
【００４６】
ＭＣＵ４１はメモリ４１Ａを内蔵している。メモリ４１Ａには、登録された携帯端末装置１を認証するための個体識別情報が記憶されている。上述したように、個体識別情報としては、この携帯端末装置１に割り当てられたユニークな番号（シリアル番号等）、電話番号、ユーザの氏名を番号化したもの、ユーザの生年月日、ユーザが任意に設定した数値や文字列などがあるが、これらの全てを記憶してもよく、その一部のみを記憶してもよい。携帯端末装置１の個体識別情報は、事前に行われる登録処理によってメモリ４１Ａに書き込まれる。
【００４７】
デスクトップオーディオ機器である親機２は、音声プロセッサ４２で処理された音声をアンプ４３で増幅してスピーカ４４から放音することを主たる機能としている。音声プロセッサ４２は、デジタルの音声信号をビットストリームの音声信号に変換する処理部である。音声プロセッサ４２には、ＣＤドライブ４７が接続されている。また、音声プロセッサ４２には、メディアインタフェース４８を介してメモリーカード６から読み出された音楽ファイルのデジタルオーディオ信号も入力される。メディアインタフェース４８には、たとえば、ＳＤカードやＵＳＢメモリなどの半導体メディアであるメモリーカード６が接続される。メモリーカード６には、携帯端末装置１のメモリーカード５と同様にＭＰ３などで圧縮された複数の音楽ファイルが記憶されている。ここで、親機２のメモリーカード６には、携帯端末装置１のメモリーカード５に記憶されている音楽ファイルを包含する音楽ファイルが記憶されているものとする。これらメモリカード５，６に記憶される音楽ファイルが、何らかの手順で同期されるようにしてもよい。
【００４８】
また、アンプ４３には、音声プロセッサ４２のほかＦＭチューナ４６からの音声も入力される。アンプ４３は入力されたオーディオ信号をＭＣＵ４１から指示されたボリューム値で増幅する。増幅された音声信号はスピーカ４４に出力される。
【００４９】
表示部４９は正面パネルに設けられた液晶ディスプレイを含み、現在時刻や再生中の曲名などを表示する。操作部５０は、各種ボタンやボリュームつまみなどを含み、ユーザの操作をＭＣＵ４１に伝達する。
【００５０】
Ｂｌｕｅｔｏｏｔｈ通信回路５１は、Ｂｌｕｅｔｏｏｔｈ（ＩＥＥＥ８０２．１５．１）の通信を行う通信回路である。Ｂｌｕｅｔｏｏｔｈ通信回路５１は、携帯端末装置１または充電器３と通信を行う。
【００５１】
次に、図４のブロック図を参照して充電器３について説明する。充電器３は、制御部としてＭＣＵ６１を有している。ＭＣＵ６１には、表示部６２、操作部６３、電源制御回路６４、ＮＦＣ通信回路６５、送電回路６６、および、Ｂｌｕｅｔｏｏｔｈ通信回路６７が接続されている。
【００５２】
ＭＣＵ６１はメモリ６１Ａを内蔵している。メモリ６１Ａには、通信相手である携帯端末装置１を認証するため、携帯端末装置１の機種識別情報および個体識別情報が記憶される。機種識別情報は、この充電器３を利用可能な機種の情報として出荷時に予めメモリ６１Ａに書き込まれており、さらに親機２との通信によって適宜更新される。また、個体識別情報は、親機２に個体識別情報が登録される都度または適宜に親機２との通信によってメモリ６１Ａに書き込まれる。
【００５３】
なお、携帯端末装置１の個体識別情報が、親機２に登録されて充電器３に転送されてくるのでなく、充電器３に直接登録されてもよい。また、充電器３が、携帯端末装置１を認証する度ごとに、親機２に個体識別情報を要求するようにしてもよい。
【００５４】
Ｂｌｕｅｔｏｏｔｈ通信回路６７は、親機２とＢｌｕｅｔｏｏｔｈ（ＩＥＥＥ８０２．１５．１）の通信を行う通信回路である。ＮＦＣ通信回路６５は、携帯端末装置１とＮＦＣ通信を行う通信回路である。ＮＦＣ通信回路６５は、通信コイル６８を有している。上述したように、ＮＦＣ通信回路６５は、カードエミュレーションモードにデフォルト設定される。
【００５５】
ＮＦＣ通信回路６５には電源制御回路６４が接続されている。電源制御回路６４は、充電器３の電源のオン／オフを切り換える回路である。電源制御回路６４は、ＮＦＣ通信回路６５から入力されるオン信号、および、ＭＣＵ６１から入力されるオフ信号に応じて充電器３の電源をオン／オフする。
【００５６】
なお、ＮＦＣ通信回路６５は、電源制御回路６４を介して供給される電源によって動作するが、通信の相手装置である携帯端末装置１のＮＦＣ通信回路１５（通信コイル２２）から電磁波（キャリア）によって供給される電力でも動作する。
【００５７】
ＮＦＣ通信回路６５は、携帯端末装置１のＮＦＣ通信回路１５から供給された電力で起動し、ＮＦＣ通信回路１５との通信を確立すると、充電器３の電源をオンするよう、電源制御回路６４に対してオン信号を入力する。電源がオンされると、ＮＦＣ通信回路６５も電源回路から供給される電力で動作する。このように、充電器３は携帯端末装置１からの給電によって起動するため、待機電力を殆ど０にすることができる。また、ＮＦＣ通信回路６５が内部電源で動作するようになったとき、携帯端末装置１のＮＦＣ通信回路１５は発生する電磁波を弱くして電力の消費を抑えるようにしてもよい。
【００５８】
送電回路６６は、１００〜２００ｋＨｚの非接触電力伝送の電流を発生させる回路であり、送電コイル６９を有している。送電コイル６９は、通信コイル６８と同軸に載置部３Ａの裏側に設けられている。
【００５９】
この実施形態では、通信コイル２２、６８と送電コイル６９、受電コイル２３とを別々に設けているが、ＮＦＣの周波数で電力伝送（充電）を行う場合には、１つのコイルでも構わない。
【００６０】
なお、表示部６２および操作部６３は、必須の構成ではないが、充電器３側から親機２との通信を開始する場合に使用される。
【００６１】
図５、図６のフローチャートを参照して、携帯端末装置１が充電器３に載置されたときの動作について説明する。
【００６２】
図５のフローチャートに示す動作は、携帯端末装置１が充電器３の載置部３Ａに載置されたとき、携帯端末装置１と充電器３がＮＦＣで通信し、充電器３がその通信内容をＢｌｕｅｔｏｏｔｈで親機２に中継する動作を示している。
【００６３】
携帯端末装置１が、ＮＦＣ通信回路１５がオンされた状態で（Ｓ１）、充電器３の載置部３Ａに載置されたとき、リーダ・ライタモードのＮＦＣ通信回路１５がカードエミュレーションモードのＮＦＣ通信回路６５を検出する（Ｓ２）。このとき充電器３のＮＦＣ通信回路６５は、携帯端末装置１の通信コイル２２から送信される１３．５６ＭＨｚの電磁波によって給電され（Ｓ１１）、ＮＦＣ通信回路６５が起動する（Ｓ１２）。充電器３のＮＦＣ通信回路６５が起動すると、携帯端末装置１のＮＦＣ通信回路１５と充電器３のＮＦＣ通信回路６５が相互に識別情報を送信し合ってＮＦＣ通信を確立する（Ｓ３，Ｓ１３）。なお、ＮＦＣ通信は超近接通信であり、１対１通信がほぼ保証されているため、通信確立の手順は簡易である。
【００６４】
携帯端末装置１と充電器３とのＮＦＣ通信が確立されると、携帯端末装置１は充電器３に対して機種識別情報を送信する（Ｓ４）。上述したように機種識別情報とは、ベンダーコード、機種コードなど、この携帯端末装置１の識別するための情報である。充電器３は、携帯端末装置１から受信した機種認証情報に基づいて、携帯端末装置１の機種を認証する。機種認証の結果、携帯端末装置１がこの充電器３を介した親機２との通信に対応している機種か否か（Ｓ１５）およびＷＰＣ充電に対応している機種か否か（Ｓ１７）を判断する。携帯端末装置１が親機２との通信に対応していない機種であれば  （Ｓ１５でＮＯ）、充電器３は通信を拒否する旨のメッセージを携帯端末装置１に送信して（Ｓ１６）動作を終了する。このとき充電器３の電源をオフすればよい。
【００６５】
携帯端末装置１が、親機２との通信に対応している機種であり（Ｓ１５でＹＥＳ）、且つ、ＷＰＣ充電に対応している機種であれば（Ｓ１７でＹＥＳ）、充電器３は、送電回路６６を起動して送電コイル６９に１００〜２００ｋＨｚの高周波電流を供給し、電磁誘導で携帯端末装置１の受電コイル２３に対する送電を開始する（Ｓ１８）。なお、携帯端末装置１が、親機２との通信に対応している機種であるが（Ｓ１５でＹＥＳ）、ＷＰＣ充電に対応していない機種であれば（Ｓ１７でＮＯ）、充電器３は、Ｓ１８の動作をスキップしてＳ１９の処理に進む。
【００６６】
携帯端末装置１は、機種認証を終えると、個体識別情報を充電器３に対して送信する（Ｓ５）。上述したように個体識別情報は、携帯端末装置１の電話番号やユーザのＩＤなど、携帯端末装置１およびそのユーザを認証するための情報である。充電器３は、携帯端末装置１から受信した個体識別情報に基づいて、携帯端末装置１およびそのユーザを認証する。機種認証の結果、携帯端末装置１およびユーザが親機２に登録されているか否かを判断する（Ｓ２０）。携帯端末装置１およびユーザが親機２に登録されていない場合には（Ｓ２０でＮＯ）、充電器３は通信を拒否する旨のメッセージを携帯端末装置１に送信して（Ｓ２１）動作を終了する。このとき充電器３の電源をオフしてもよく、送電回路６６の動作を継続してもよい。
【００６７】
携帯端末装置１およびユーザが親機２に登録されている場合には（Ｓ２１でＹＥＳ）、アプリケーションレベルのＮＦＣ通信が許可される。これにより、携帯端末装置１が充電器３に対してＮＦＣ通信により、上述の設定情報を送信する等の通信を行い（Ｓ６）、充電器３は、Ｂｌｕｅｔｏｏｔｈにより、親機２との間でこの通信を中継する（Ｓ２２）。これにより、携帯端末装置１が親機２と離れた場所に置かれても、親機２との間でＮＦＣと同等の通信を行うことが可能になる。なお、親機２がスタンバイ状態の場合、Ｓ２２のタイミングで充電器３が親機２を起動させればよい。
【００６８】
また、図６のフローチャートに示す動作は、充電器３が通信を中継するのではなく、充電器３が親機２のＢｌｕｅｔｏｏｔｈのペアリング情報を携帯端末装置１に送信し、携帯端末装置１が親機２とのＢｌｕｅｔｏｏｔｈの通信を確立して直接通信する形態の手順を示している。図６において、携帯端末装置１のＳ１〜Ｓ４の手順、および、充電器３のＳ１１〜Ｓ２１の手順は、図５に示したフローチャートのものと同一であるため、同じステップ番号を付して説明を省略する。
【００６９】
図６において、携帯端末装置１およびユーザが親機２に登録されている場合には（Ｓ２１でＹＥＳ）、充電器３が親機２のＢｌｕｅｔｏｏｔｈのペアリング情報を携帯端末装置１に対して送信する（Ｓ３５）。携帯端末装置１は、このペアリング情報を受信して、親機２とＢｌｕｅｔｏｏｔｈのペアリングを行い通信を確立する（Ｓ３１）。こののち、携帯端末装置１および充電器３は、ＮＦＣ通信回路１５，６５の動作を停止させる（Ｓ３２，Ｓ３６）。携帯端末装置１は、通信が確立されたＢｌｕｅｔｏｏｔｈを用いて親機２と直接通信する（Ｓ３３）。以上の動作により、充電器３とのＮＦＣ通信から親機２とのＢｌｕｅｔｏｏｔｈ通信へ、異なる機器へのｈａｎｄ  ｏｖｅｒが行われる。
【００７０】
図７は、図５で説明した中継による通信、または、図６で説明したＢｌｕｅｔｏｏｔｈによる直接通信によって携帯端末装置１と親機２が通信可能になったとき行われる通信手順の例を示すフローチャートである。このフローチャートは、携帯端末装置１から親機２への音楽の再生動作を引き継ぐ手順を例示している。この動作は、たとえば以下のような場面を想定している。ユーザが、携帯端末装置１で音楽を聴きながら帰宅する。帰宅後、携帯端末装置１を充電器３の載置部３Ａ上に置く。そうすると、親機２が携帯端末装置１で実行されていた音楽の再生を引き継ぎ、携帯端末装置１は音楽の再生を自動停止する。すなわち、移動中の携帯端末装置１から自宅の親機２に、ユーザによる特段の操作無しで、シームレスに音楽の再生が引き継がれる。なお、図７のフローチャートでは、ＭＰ３等の音楽ファイルの再生を移行する場合を例にあげて説明しているが、他のソースの再生、例えばラジオ放送、テレビ放送の受信を移行する場合にも同様に適用可能である。
【００７１】
図７のＳ４１〜Ｓ４３は、携帯端末装置１がユーザに携帯されているときの動作である。ユーザの操作によりメモリーカード５などに記憶された複数の音楽ファイルの中から、再生する曲（音楽ファイル）が選択される（Ｓ４１）。この曲の選択は、１つの音楽ファイルの選択、アルバムの選択、ユーザが作成した選曲リストの選択等を含む。ユーザによって曲が選択されると、この選択操作によって選択された音楽ファイルをメモリーカード５から読み出して（Ｓ４２）、そのデジタルオーディオ信号を再生する（Ｓ４３）。
【００７２】
この状態で携帯端末装置１が充電器３の載置部３Ａに載置されると、図５で説明した充電器３による中継、または、図６で説明したＢｌｕｅｔｏｏｔｈによる直接通信によって携帯端末装置１と親機２との通信が確立される（Ｓ４４，Ｓ５１）。相互の通信が確立されると、携帯端末装置１は、親機２に対して動作情報および設定情報を送信する（Ｓ７、Ｓ８）。動作情報は、上述したように、再生中のオーディオソースに関する情報であり、例えば、どの音楽ファイルの何分何秒の位置を再生中である旨や、どのアルバムのどの音楽ファイルのどの位置（何分何秒）を再生中である旨の情報である。設定情報は、アラーム時刻などの動作設定の情報である。
【００７３】
親機２は、携帯端末装置１から送信されてきた動作情報および設定情報を受信して記憶する（Ｓ５２、Ｓ５３）。そして、受信した動作情報で指定される音楽ファイルをメモリーカード６などから読み出し（Ｓ５４）、動作情報で指定された再生タイミングから再生を開始してフェードインさせる（Ｓ５５）。このフェードインに並行して、携帯端末装置１は、音楽ファイルの再生をフェードアウトして停止させる（ｓ４７）。そして、携帯端末装置１は、設定情報に基づく動作（たとえばアラームなど）を停止し  （Ｓ４８）、親機２は、受信した設定情報に従ってアラームなどの設定を行って動作を開始する（Ｓ５６）。
【００７４】
以上の処理動作により、携帯端末装置１が充電器３の載置部３Ａに載置されたとき、ユーザの何らの操作なしで、携帯端末装置１から親機２への動作の引き継ぎが可能になる。以後、親機２で音楽ファイルなどオーディオソースの再生が行われる。
【００７５】
親機２によるオーディオソースの再生中、親機２は、オーディオソースの再生に変更が生じた場合ごとに、携帯端末装置１へその変更情報を送信する。変更情報を逐次携帯端末装置１に送信しておくことにより、携帯端末装置１が再度ユーザによって携帯されたとき、携帯端末装置１が、親機２で再生されていた状態を引き継いで、オーディオソースの再生を再開することができる。
【００７６】
なお、上述のオーディオソースの再生に変更が生じるとは、再生する音楽ファイルが変わる（次の曲の再生を開始する）場合、ユーザが早送り、巻き戻し、スキップ等の操作をした場合、再生するオーディオソースを（たとえばラジオ放送に）変更した場合など、時間経過のみでは追尾できない事象が生じた場合である。たとえば、ボリュームの上下は、オーディオソースの再生に変更を生じさせる操作に含まれない。
【００７７】
図８は、携帯端末装置１が充電器３の載置部３Ａ上に載置されており、親機２がオーディオソースの再生を行っているときの親機２の動作を示すフローチャートである。この動作は、携帯端末装置１との間で定期的に（たとえば１００ｍ秒に１回）実行される。この動作では、ユーザによるオーディオソースの再生を変更する操作があったか（Ｓ６０）、曲（音楽ファイル）が終了したか（Ｓ６１）、または、携帯端末装置１との通信が切断されたか（Ｓ６２）を監視する。
【００７８】
オーディオソースの再生を変更する操作があった場合には（Ｓ６０でＹＥＳ）、この操作に対応する動作を行うとともに（Ｓ６３）、この操作を示す変更情報を携帯端末装置１に送信する（Ｓ６４）。
【００７９】
曲が終了すると（Ｓ６１でＹＥＳ）、再生を予約されている次の曲があるか否かを判断する（Ｓ６５）。次の曲がある場合には（Ｓ６５でＹＥＳ）、その次の曲の音楽ファイルを読み出して再生をスタートする（Ｓ６６）。そして、その旨（次の曲の曲名（ファイル名）およびその再生をスタートした旨）を変更情報として携帯端末装置１に送信する（Ｓ６７）。一方、次の曲がない場合には（Ｓ６５でＮＯ）、何もしないでこの動作を終了する。次の曲がなく再生が終了した後、たとえば新たな曲を選曲する操作やソースをラジオ放送に切り換える操作などが行われると、その後の動作のＳ６０でその操作が検出され、変更情報が携帯端末装置１に送信される。
【００８０】
また、携帯端末装置１との通信が切断されたことを検出した場合には（Ｓ６２でＹＥＳ）、携帯端末装置１がユーザによって携帯されたと判断し、１０秒間だけ現在の再生状態を継続し、１０秒が経過すると再生を停止して電源をオフする（Ｓ６８）。再生停止時は、ボリュームをフェードアウトさせてもよい。
【００８１】
なお、親機２は携帯端末装置１との通信が切断されたとき即座に再生動作を停止してもよいが、ユーザが携帯端末装置１を取り上げ、イヤホンを耳に差し込み、再生される音楽を聴けるようになるまで、若干の時間が掛かるため、親機２は、携帯端末装置１が天板２Ａから取り上げられたのち（ＮＦＣ通信が切断されたのち）、１０秒程度経過したのちに楽曲の再生を停止し、自己の電源をオフしている。なお、この１０秒間は、ユーザによる「オーディオソースの再生に変更を生じさせる操作」を受け付けないようにしてもよい。また、電源オフの操作以外の操作を受け付けないようにしてもよい。また、上記電源オフまでの時間（１０秒）を、ユーザによって選択・設定可能にしても良い。このように、携帯端末装置１と親機２との通信が切断されると、携帯端末装置１がユーザによって携帯されたと判断され、オーディオソースの再生動作は再び携帯端末装置１に引き継がれる。
【００８２】
なお、携帯端末装置１が充電器３とＮＦＣ通信をしており、充電器３がＢｌｕｅｔｏｏｔｈで親機２との通信を中継している場合には、携帯端末装置１が充電器３の載置部３Ａから取り上げられることで相互の通信が切断され、Ｓ６２，Ｓ７１ではこれが通信の切断として検出される。
【００８３】
一方、携帯端末装置１と親機２とがＢｌｕｅｔｏｏｔｈで直接通信している場合には、ユーザが携帯端末装置１を操作して親機２とのＢｌｕｅｔｏｏｔｈ通信を切断することで相互の通信が切断され、Ｓ６２，Ｓ７１ではこれが通信の切断として検出される。
【００８４】
図９は、携帯端末装置１が充電器３の載置部３Ａ上に載置されており、親機２がオーディオソースの再生を行っているときの携帯端末装置１の動作を示すフローチャートである。携帯端末装置１の据置機器監視ルーチンを示すフローチャートである。このルーチンは、親機２との間でＮＦＣ通信が確立されているとき、定期的に（たとえば１００ｍ秒に１回）実行される。このルーチンでは、親機２から送られてきた変更情報を受信したか（Ｓ７０）、親機２との通信が切断されたか（Ｓ７１）を監視している。
【００８５】
変更情報を受信すると（Ｓ７０でＹＥＳ）、この制御情報を記憶するとともに（Ｓ７２）、その受信時刻をこの制御情報に対応づけて記憶する（Ｓ７３）。一方、親機２との通信が切断されたことを検出すると（Ｓ７１でＹＥＳ）、記憶している変更情報および変更情報の受信時刻に基づいて、親機２が、現在どの曲のどのタイミングを再生しているかを推定し（Ｓ７４）、その曲の音楽ファイルを読み出して、その推定された箇所から再生を開始する（Ｓ７５）。以上の動作により、親機２から携帯端末装置１へのオーディオ再生の引き継ぎがシームレスに行われる。
【００８６】
以上は、ＭＰ３等の音楽ファイルの再生を移行する場合を例にあげて説明したが、他のソースの再生、例えばラジオ放送、テレビ放送の受信を移行する場合にも同様に適用可能である。たとえば、ユーザが携帯端末装置１でラジオ放送（サイマルラジオ）を聴いていた場合には、携帯端末装置１はＳ４５で受信中の放送局の情報を動作情報として送信し、親機２はＳ５４でその放送局を受信するようＦＭチューナ４６を制御するようにすればよい。
【００８７】
また、ラジオ放送は、デジタルラジオ放送（ＤＡＢ：Ｄｉｇｉｔａｌ  Ａｕｄｉｏ  Ｂｒｏａｄｃａｓｔ）であってもよい。
【００８８】
また、シームレスな動作の引き継ぎは、オーディオの再生に限定されない。アラームの設定情報を移行した場合、アラーム時刻になると親機２がアラーム音を鳴動させる。携帯端末装置１は、親機２と通信が確立されている間は、アラーム音を停止させればよい。
【００８９】
また、電話の着信があった場合、メールを受信した場合、携帯端末装置１はその旨を親機２に通知し、親機２が着信音、メール受信音を発生させる。ユーザは電話に応答するため、または、メールを見るために、携帯端末装置１を親機２から取り上げるが、この取り上げによってＮＦＣ通信が切断しても、図８のＳ６２→Ｓ６８、および、図９のＳ７１→Ｓ７４、Ｓ７５に示す通信切断時の動作は行わない。
【００９０】
また、この実施形態では、親機２から携帯端末装置１に再生動作を引き継がせる時のために、親機２においてオーディオソースの再生に変更が生じた場合にその変更情報を携帯端末装置１に送信するようにしているが、オーディオソースの再生に変更が生じた場合のみならず、定期的に動作状態を転送するようにしてもよい。
【００９１】
また、充電器３の形態はトレイ状に限定されない。たとえば、引っ掛けるフック、立て掛けるスタンドなどの形態であってもよい。また、本発明における近接はこれら載置部に載置された状態を指すのみならず、載置されていなくてもＮＦＣ通信が可能な程度に近接した状態をも含むものとする。
【００９２】
なお、本発明の高速通信は、Ｂｌｕｅｔｏｏｔｈに限定されない。Ｗｉ−Ｆｉでもよく、また、有線通信であってもよい。たとえば、電力線通信（ＰＬＣ）であってもよい。
【００９３】
また、携帯端末装置１は、多機能電話機（スマートフォン）に限らず、携帯オーディオプレーヤ、タブレット端末、携帯情報端末（ＰＤＡ：Ｐｅｒｓｏｎａｌ  Ｄｉｇｉｔａｌ  Ａｓｓｉｓｔａｎｔ）などであってもよい。
【符号の説明】
【００９４】
１  携帯端末装置（第１機器）
２  親機（第２機器）
３  充電器（第３機器）
３Ａ  載置部
１４，５１，６７  Ｂｌｕｅｔｏｏｔｈ通信回路
１５，６５  ＮＦＣ通信回路
【図１】
2014057235.tif 000003
【図２】
2014057235.tif 000004
【図３】
2014057235.tif 000005
【図４】
2014057235.tif 000006
【図５】
2014057235.tif 000007
【図６】
2014057235.tif 000008
【図７】
2014057235.tif 000009
【図８】
2014057235.tif 000010
【図９】
2014057235.tif 000011